(57)【特許請求の範囲】
【請求項１】
骨材ドライヤにより加熱乾燥した骨材を篩い分ける振動篩と、篩い分けた骨材を粒度別に貯蔵する骨材貯蔵ビンと、該骨材貯蔵ビンに貯蔵した骨材を計量する骨材計量槽と、アスファルト合材の材料である石粉、アスファルトの各計量槽と、前記各計量槽から払い出される材料を混合するミキサとを階層状に組み上げ、前記ミキサに骨材、石粉、アスファルトの所定量を投入して混合調整することでアスファルト合材を製造する混合タワーを備えたアスファルトプラントにおいて、
前記混合タワーの上段に再生ドライヤを積み上げて配設し、再生ドライヤから排出される再生材を貯蔵する再生材貯蔵ビンを混合タワー内に組み込むと共に、前記再生材貯蔵ビンから払い出される再生材を前記ミキサに供給する供給手段を備え、ミキサの下位にはアスファルト合材を保温貯蔵する合材貯蔵サイロを複数基配設すると共に、ミキサと合材貯蔵サイロとの間にはアスファルト合材を任意の合材貯蔵サイロに投入することのできる投入手段を配設し、再生ドライヤ、再生材貯蔵ビン、合材貯蔵サイロを混合タワーに一体的に組み込んだことを特徴とするアスファルトプラント。
【請求項２】
前記混合タワーの振動篩の上位の最上段に再生ドライヤを積み上げて配設し、再生ドライヤ、再生材貯蔵ビン、合材貯蔵サイロを混合タワー内に一体的に組み込んだことを特徴とする請求項１記載のアスファルトプラント。
【請求項３】
ミキサの下位には合材貯蔵サイロを経ずに車両にアスファルト合材を積み込む合材払い出しシュートを配設したことを特徴とする請求項１または２記載のアスファルトプラント。
【請求項４】
混合タワーの外面に外装材を取り付けてビルディング状に形成したことを特徴とする請求項１ないし３のいずれかに記載のアスファルトプラント。
【発明の詳細な説明】
【技術分野】
【０００１】
本発明は、道路舗装材であるアスファルト合材を製造するアスファルトプラントに関する。
【背景技術】
【０００２】
道路工事等によって掘り起こされたアスファルト舗装廃材は、加熱再生されて再生材としてアスファルト合材に混入して再利用されており、この加熱再生用のリサイクルプラントは新規アスファルト合材を製造するアスファルトプラントに併設されている。
【０００３】
前記リサイクルプラントは、実開平６−６３６０６号公報のように、アスファルトプラントの混合タワーの側部に高架台を別途立設し、該高架台上に再生ドライヤを配設すると共に、該再生ドライヤの排出部の下位に加熱再生材を一時貯蔵する再生材貯蔵ビンを配設し、該再生材貯蔵ビンの下位に計量槽を配設し、該計量槽にて計量した再生材を混合タワーに搭載したミキサに供給する供給装置を備えるようにし、アスファルトプラントの混合タワーの側部の架台上に集積して省スペース化を図るようにしている。
【先行技術文献】
【特許文献】
【０００４】
【特許文献１】実開平６−６３６０６号公報
【発明の概要】
【発明が解決しようとする課題】
【０００５】
しかしながら、上記従来のリサイクルプラントにあっては、高架台に再生ドライヤや再生貯蔵ビンを積み上げて一体化することで省スペース化を図っているものの、アスファルトプラントの混合タワーの側部に別途設置するため、敷地内にそれ相応の設置スペースが必要となり、敷地の有効活用が図れない。また、都市近郊部に設置されるアスファルトプラントは外観が重要視され、ビルディング感覚のスマートなプラントが望まれており、敷地内に装置が散在することでビルディング感覚のプラントを構築することもできない。
【０００６】
本発明は上記の点に鑑み、装置の集積化を図ることで、省スペース化と、ビルディング感覚の都市近郊部にマッチするアスファルトプラントを提供することを課題とする。
【課題を解決するための手段】
【０００７】
本発明は、上記の点に鑑み、上記の課題を解決するために、請求項１に記載のように、骨材ドライヤにより加熱乾燥した骨材を篩い分ける振動篩と、篩い分けた骨材を粒度別に貯蔵する骨材貯蔵ビンと、該骨材貯蔵ビンに貯蔵した骨材を計量する骨材計量槽と、アスファルト合材の材料である石粉、アスファルトの各計量槽と、前記各計量槽から払い出される材料を混合するミキサとを階層状に組み上げ、前記ミキサに骨材、石粉、アスファルトの所定量を投入して混合調整することでアスファルト合材を製造する混合タワーを備えたアスファルトプラントにおいて、前記混合タワーの上段に再生ドライヤを積み上げて配設し、再生ドライヤから排出される再生材を貯蔵する再生材貯蔵ビンを混合タワー内に組み込むと共に、前記再生材貯蔵ビンから払い出される再生材を前記ミキサに供給する供給手段を備え、ミキサの下位にはアスファルト合材を保温貯蔵する合材貯蔵サイロを複数基配設すると共に、ミキサと合材貯蔵サイロとの間にはアスファルト合材を任意の合材貯蔵サイロに投入することのできる投入手段を配設し、再生ドライヤ、再生材貯蔵ビン、合材貯蔵サイロを混合タワーに一体的に組み込んだことを特徴とするアスファルトプラントを提供することにある。
【０００８】
また、請求項２のように、前記混合タワーの振動篩の上位の最上段に再生ドライヤを積み上げて配設し、再生ドライヤ、再生材貯蔵ビン、合材貯蔵サイロを混合タワー内に一体的に組み込んだことを特徴とするアスファルトプラントを提供することにある。
【０００９】
さらに、請求項３のように、ミキサの下位には合材貯蔵サイロを経ずに車両にアスファルト合材を積み込む合材払い出しシュートを配設したこと特徴とするアスファルトプラントを提供することにある。
【００１０】
さらにまた、請求項４のように、混合タワーの外面に外装材を取り付けてビルディング状に形成したことを特徴とするアスファルトプラントを提供することにある。
【発明の効果】
【００１１】
本発明のアスファルトプラントは、請求項１のように、混合タワーの上段に再生ドライヤを積み上げて配設し、再生材貯蔵ビン、合材貯蔵サイロ等の装置を混合タワーに一体的に組み込んだので、従来、散在していたリサイクルプラントの再生ドライヤ及び再生貯蔵ビン、それに合材貯蔵サイロが混合タワーに集積化され、省スペース化を図ることができる。
【００１２】
また、請求項２記載のアスファルトプラントにあっては、前記混合タワーの振動篩の上位の最上段に再生ドライヤを積み上げて配設し、再生ドライヤ、再生材貯蔵ビン、合材貯蔵サイロを混合タワー内に一体的に組み込んだことによって、上記したようにプラント装置が混合タワーに集積化され、省スペース化を図ることができる。特に、最上段の再生ドライヤで加熱乾燥して排出される加熱廃材をできるだけ重力により落下させて貯蔵し、下位の装置に供給するようにできて、プラントの簡素化、混合タワーの省スペース化を図れる。
【００１３】
さらに、請求項３記載のアスファルトプラントにあっては、ミキサの下位には合材貯蔵サイロを経ずに直接車両にアスファルト合材を積み込む合材払い出しシュートを配設することによって、合材貯蔵サイロに貯蔵するアスファルト合材と異なる種類のアスファルト合材でも柔軟に製造出荷することができる。
【００１４】
さらにまた、請求項４記載のアスファルトプラントにあっては、混合タワーの外面に外装材を取り付けてビルディング状に形成したことによって、上記したようにプラント装置を混合タワーに集積化して、省スペース化を図りつつ、その外面を外装材によって一体的に囲えて外観のスマートなビルディング感覚のアスファルトプラントを構築することができる。
【図面の簡単な説明】
【００１５】
【図１】本発明の一実施例を示す概略正面図、
【図２】同上の概略側面図。
【発明を実施するための形態】
【００１６】
本発明のアスファルトプラントは、骨材ドライヤにより加熱乾燥した骨材を篩い分ける振動篩と、篩い分けた骨材を粒度別に貯蔵する骨材貯蔵ビンと、該骨材貯蔵ビンに貯蔵した骨材を計量する骨材計量槽と、アスファルト合材の材料である石粉、アスファルトの各計量槽と、前記各計量槽から払い出される材料を混合するミキサとを階層状に組み上げ、前記ミキサに骨材、石粉、アスファルトの所定量を投入して混合調整することでアスファルト合材を製造する混合タワーを備えたアスファルトプラントにおいて、前記混合タワーの上段に再生ドライヤを積み上げて配設し、再生ドライヤから排出される再生材を貯蔵する再生材貯蔵ビンを混合タワー内に組み込むと共に、前記再生材貯蔵ビンから払い出される再生材を前記ミキサに供給する供給手段を備え、ミキサの下位にはアスファルト合材を保温貯蔵する合材貯蔵サイロを複数基配設すると共に、ミキサと合材貯蔵サイロとの間にはアスファルト合材を任意の合材貯蔵サイロに投入することのできる投入手段を配設し、再生ドライヤ、再生材貯蔵ビン、合材貯蔵サイロを混合タワーに一体的に組み込んだことを特徴としている。
【００１７】
アスファルトプラント１は、図１、図２のように５階層等の所要の高階層とした混合タワー２を備え、該混合タワー２に隣接して備えた骨材ドライヤ３で加熱乾燥した新規骨材をバケットエレベータ４によって前記混合タワー２の最上階に搬送して骨材を粒度別に篩い分ける振動篩５に投入し、篩い分けた骨材を下位の骨材貯蔵ビン６に粒度別に貯蔵し、該骨材貯蔵ビン６に貯蔵した骨材を骨材計量槽７で計量する一方、石粉貯蔵ビン８下流の石粉計量槽９にて計量される石粉や、アスファルト貯蔵タンク（図示せず）下流のアスファルト計量槽１０にて計量されるアスファルト等と共に下位のミキサ１１に払い出して混合するように階層状に組み上げ、前記ミキサ１１に骨材、石粉、アスファルトを所定量ずつ投入して混合調整して所望のアスファルト合材を製造するように構成している。
【００１８】
そして、この混合タワー２のアスファルトプラント１の前記振動篩５上位の最上段には、再生ドライヤ１２を積み上げて配設して、図１、図２のように廃材を地上より持ち上げてドラム１３内に供給するバケットエレベータ１４を配設し、再生ドライヤ１２から排出される再生材を貯蔵する再生材貯蔵ビン１５を混合タワー２内に組み込み、前記再生材貯蔵ビン１５から払い出される再生材を前記ミキサ１１に供給するベルトコンベヤ等の供給手段１６を備え、ミキサ１１の下位にはアスファルト合材を保温貯蔵する合材貯蔵サイロ１７を複数基（図上２基）配設すると共に、ミキサ１１と合材貯蔵サイロ１７との間にはアスファルト合材を任意の合材貯蔵サイロ１７に分配投入することのできる移動ホッパー等の投入手段１８を配設し、再生ドライヤ１２、再生材貯蔵ビン１５、合材貯蔵サイロ１７を混合タワー２内に一体的に組み込んで、各プラント装置を混合タワー２に集積化して省スペース化を図っている。
【００１９】
骨材ドライヤ３は、円筒状のドラム１９を回転自在に傾斜枢支して所定速度で回転させており、供給された骨材をドラム１９内部に配設した多数の掻き上げ羽根によって掻き上げながら転動流下させる間にバーナ２０により送り込まれる熱風と接触させて所定温度まで加熱し、バケットエレベータ４によって混合タワー２最上階の振動篩５に搬送するようにしている。
【００２０】
また、廃材を加熱再生する再生ドライヤ１２は、その上流のバーナ２１側に、図１、図２のように廃材を地上より持ち上げてドラム１３内に供給するバケットエレベータ１４を上記のように配設し、再生ドライヤ１２下流の排出部には上記したように再生材を一時貯蔵する再生材貯蔵ビン１５を配設し、再生ドライヤ１２より排出された再生材が重力により落下して貯蔵されるようにしている。
【００２１】
再生材貯蔵ビン１５の下位には、上記したようにミキサ１１より排出されるアスファルト合材をその種類毎に個別に保温貯蔵可能とする複数基の合材貯蔵サイロ１７を配設している他、混合タワー２下部まで延びる合材払い出しシュート２２を配設しており、合材貯蔵サイロ１７を経ずに車両にアスファルト合材を直接積み込むことができるようにして、合材貯蔵サイロ１７に貯蔵するアスファルト合材と異なる種類のアスファルト合材でも柔軟に製造出荷できるようにしている。また、前記合材貯蔵サイロ１７の下端部にはアスファルト合材を計量して払い出す計量ホッパー２３を備えている。
【００２２】
このように、プラントの混合タワー２の上層、好ましくは最上段に再生ドライヤ１２を搭載し、該再生ドライヤ１２の排出部下位に再生材貯蔵ビン１５、及び合材貯蔵サイロ１７を一体的に配置するようにしたことにより、装置の簡素化、混合タワー２への集積化を図って省スペース化しているものである。特に、再生ドライヤ１２を最上段に搭載すると、加熱乾燥して排出された再生材を重力を利用して落下させて貯蔵させ、下位の各装置に効率よく供給するようにできて、プラントの簡素化、混合タワーの省スペース化を効果的に図れる。
【００２３】
また、ミキサ１１の下位には、合材貯蔵サイロ１７を経ずに直接車両にアスファルト合材を積み込み可能とする合材払い出しシュート２２を配設しているので、合材貯蔵サイロ１７に貯蔵しているアスファルト合材と異なる種類のアスファルト合材でも柔軟に製造出荷することができる。
【００２４】
なお、図１、図２において一点鎖線で示したように、アスファルトプラント１の混合タワー２の外面にスレートや化粧鉄板等の外装材２４を取り付けてビルディング状に形成し、上記したようにプラント装置を混合タワー２に集積化して、省スペース化したアスファルトプラント１をビルディング感覚に構築することができる。
【００２５】
上記では、アスファルトプラント１の混合タワー２の最上段に再生ドライヤ１２を搭載して装置の簡素化、混合タワー２への集積化を図って省スペース化したが、本発明の趣旨にもとづいて適宜の変更、追加の実施態様を採択することができる。
【符号の説明】
【００２６】
１…アスファルトプラント      ２…混合タワー          ３…骨材ドライヤ
５…振動篩                    ６…骨材貯蔵ビン        ７…骨材計量槽
１１…ミキサ                  １２…再生ドライヤ      １５…再生材貯蔵ビン
１６…供給手段（ベルトコンベヤ）                      １７…合材貯蔵サイロ
１８…投入手段（移動ホッパー）                        ２４…外装材
【図１】
0005465095.tif 000002
【図２】
0005465095.tif 000003